(57)【要約】      （修正有）【課題】脇下部から浸出する汗を吸収し、上衣に汗染みが出来るのを防止するスリーブレス肌着を提供する。【解決手段】前身頃２及び後身頃３のアームホール５を着用者の腕周りに沿うよう狭めて形成し、伸縮性を有するアームホール縁布７を肩部分において幅が狭く、前後両身頃のアームホールに沿って脇下に向かうに従い縁布の幅が広くなるよう縫着し、幅広の縁布によって、脇下の汗を吸収するようにしたものである。【選択図】図１
0003149566.tif 000002
【実用新案登録請求の範囲】
【請求項１】
肌着前身頃及び後身頃のアームホールを腕周りに沿うよう狭めて形成し、伸縮性を有するアームホール縁布を肩部分において幅が狭く、前後両身頃のアームホールに沿って脇下に向かうに従い縁布の幅が広くなるよう縫着したスリーブレス肌着。
【請求項２】
アームホール脇下において、前記縁布がやや身体外側にせり出すように縫着した請求項１に記載のスリーブレス肌着。
【請求項３】
前記縁布が、伸縮性を有し、吸汗速乾性糸により編成されたニット地である請求項１または請求項２に記載のスリーブレス肌着。 
【考案の詳細な説明】
【技術分野】
【０００１】
本考案は、肌着において腕の両脇下部分の汗を吸収し、上衣に汗染みが生じるのを防止する機能を有するスリーブレス肌着に関する。
【背景技術】
【０００２】
両脇下部分の汗を吸収するためのパッドを有する衣類が考案され、使用されている。即ち、両脇下部分の内側に消臭性を有する脇当片を縫着した衣類（特許文献１）、袖付き肌着の両脇下を含む発汗部分に高給水性パッドを設けた（特許文献２）肌着が提案されている。また、パッドを設ける代わりに袖のないアンダーシャツにおいて、左右アームホール周縁部の一部において脇下袖刳の下方縁から舌片状の汗取りパッドが外方に突出するように設けたもの（特許文献３）が知られており、そして同様の形状のアンダーシャツの意匠も登録されている（特許文献４）。
【０００３】
更に、前身頃部と後身頃と、肩部と、脇当て部とを逢着して形成されるショートスリーブシャツにおいて、脇当て部が脇下ラインより上の部分と脇下ラインより下の部分とから構成されるシャツが開示されている（特許文献５）が、このショートスリーブシャツの脇下ラインより上の部分の脇当て部は、上記特許文献３及び特許文献４に記載されている舌状片と機能、及び形状が同様のものである。
【先行技術文献】
【特許文献】
【０００４】
【特許文献１】公開実用新案昭６４−２２７０５号公報
【特許文献２】公開特許第２００１−４０５０４号公報
【特許文献３】登録実用新案第３０２６４１６号公報
【特許文献４】意匠登録第１１５６７７３号公報
【特許文献５】特許第４０００４３７号公報
【考案の概要】
【考案が解決しようとする課題】
【０００５】
本考案は、薄地のワイシャツ等の下に着用して、肌着の形状がワイシャツ等の上衣外側から透視される場合でも、縫製ラインが通常の肌着と殆ど異なることがなく、しかも、脇下部分から浸出する汗を吸収してワイシャツ、背広等の上衣に汗染みができるのを防止する、スリーブレス肌着を提供することを目的とする。
【課題を解決するための手段】
【０００６】
本考案は、ノースリーブのアンダーシャツのアームホールを従来品のアンダーシャツより僅かに狭めて形成し、伸縮性を有するアームホール縁布を肩口から前後両身頃のアームホールに沿って脇下に向かうに従い縁布の幅が広くなるよう縫着したスリーブレス肌着である。更に、アームホールの脇下において、幅広の縁布がやや身体外側にせり出すように縫着する。縁布としては、伸縮性を有し、吸汗速乾性糸により編成されたニット地であることが好ましい。
【考案の効果】
【０００７】
本考案のスリーブレス肌着は、着用時に表出する縫製ラインが通常のスリーブレス肌着と殆ど異なることがなく、しかも、アームホールを腕に沿わせて狭めて形成すると共に、アームホールに沿って脇下部分が幅広くなるよう形成したので、縁布脇下部分が浸出する汗を吸収し、ワイシャツ、背広等の上衣に汗染みができるのを防止することが出来る利点を有する。
【図面の簡単な説明】
【０００８】
【図１】図１は、本考案のスリーブレス肌着を示す正面図である。
【図２】図２は、本考案のスリーブレス肌着を示す背面図である。
【図３】図３は、本考案スリーブレス肌着のアームホール縁布の形状を示す展開図である。
【考案を実施するための形態】
【０００９】
本考案のスリーブレス肌着１は、前身頃２、後身頃３よりなり、前身頃２、後身頃３の下方裾口４は、常法により適宜縫製等により処理する。前身頃２及び後身頃３のアームホール５，５は、従来のアンダーシャツのアームホールに較べて、わずかに径が少なくなり、肩口において腕周りに沿うよう狭めて形成する。前身頃２、後身頃３の脇線６は、通常連続して編成されるがこれに限定されるものではない。
【００１０】
アームホール５，５には、一例として図３に示すような紡錘形状の縁布７を、長手方向中心線である折山線８において二つ折りにして、重なった紡錘形の曲線をなした側縁９を輪になるように前身頃２、後身頃３のアームホール５，５に縫着する。本考案の特徴は、この縁布７の形状にある。縁布７は、前身頃２と後身頃３の肩線１０に接する部分において幅が最小であり、脇線６の上端の脇下部１１において縁布７の幅が最大となるよう漸次幅長さが増加するように形成する。縁布７は、上記の形状を有するものであれば、図３に示した形状に限定されるものではない。縁布７は、幅長さが最小になる最小幅縁布部分１２が肩線１０近辺で、縁布７の幅長さが最大となる最大幅縁布部分１３が脇下部１１に位置するよう、アームホール５，５に側縁９，９が縫着される。縁布７の脇下部１１への縫着に際しては、縁布７がややアームホール５，５の外側にせり出すようにし、脇下の汗の吸収を助長することが好ましい。
【００１１】
図１、図２に示すように、スリーブレス肌着本体１の襟刳り１４は、丸首，Ｕネック，Ｖ型のいずれであってもよく、その際、裏側縫い目にアクセントテープ１５を縫着しても良い。またＶ型前あきとして縫製する場合には、スリーブレス肌着のＶ型前あきは、ワイシャツの第一ボタンを開けてもスリーブレス肌着が見えにくいような深さのＶネックとすることが更に好ましい。
【００１２】
本考案のスリーブレス肌着に使用する生地としては、適度な伸縮性を有するニット地であり、フライス、スムース、天竺、鹿の子地などが使用される。素材は、綿、レーヨン、綿／ポリエステル、綿／アクリル混紡などが挙げられる。汗の吸収、速乾を高めるために、綿１００％糸と、吸汗速乾性に優れたポリエステル１００％糸を交編することも考えられる。また、脇部分に位置するアームホールの縁布素材としては、組織を鹿の子、メッシュなどの目の粗い編地で編成したり、抗菌防臭性能を備えた生地を使用することができる。
【産業上の利用可能性】
【００１３】
一般のスリーブレス肌着は、脇下部分で皺が依ったり、アームホールが伸びて脇下が見えたりする欠点がある。本考案においては、スリーブレス肌着の肩口にかけて縁布の幅を狭くして細くし、袖のないノースリーブの形状を保つことができ、しかも、脇下部分において吸汗作用を持たせるよう構成されているので、ノースリーブの肌着でありながら、腋の下の汗が外衣につくことを防ぎ、汗染みを防止する。
【符号の説明】
【００１４】
１  スリーブレス肌着
２  前身頃
３  後身頃
４  裾口
５  アームホール
６  脇線
７  縁布
８  折山線
９  縁布外側縁
１０  肩線
１１  脇下部
１２  最小幅縁布部分
１３  最大幅縁布部分
１４  襟刳り
１５  アクセントテープ 
【図１】
0003149566.tif 000003
【図２】
0003149566.tif 000004
【図３】
0003149566.tif 000005